(57)【要約】【課題】  盗難及び不正使用等に対して無制限な読み出しを防止可能なデータ書き込み装置を提供する。【解決手段】  コンテンツデータをメモリカードに書き込むカードスロット１２、コンテンツデータの書き込み回数をカウントする書き込み回数カウント部１３２、及び書き込み回数カウント部のカウント値が書き込み回数の上限値以下である場合にコンテンツデータの書き込みを継続し、カウント値が上限値を超えた場合にコンテンツデータの書き込みを中止する条件判定部１３１を備える。【選択図】    図１
2006031384.tif 000002
【特許請求の範囲】
【請求項１】
メモリカードにコンテンツデータを書き込むデータ書き込み装置であって、
前記コンテンツデータを前記メモリカードに書き込むカードスロットと、
前記コンテンツデータの書き込み回数をカウントする書き込み回数カウント部と、
前記書き込み回数カウント部のカウント値が前記書き込み回数の上限値以下である場合に前記コンテンツデータの書き込みを継続し、前記カウント値が前記上限値を超えた場合に前記コンテンツデータの書き込みを中止する条件判定部
とを備えることを特徴とするデータ書き込み装置。
【請求項２】
時間情報を生成するタイマ装置を更に備え、前記条件判定部は、前記時間情報が前記コンテンツデータの書き込み実施期間の期限内である場合に前記コンテンツデータの書き込みを継続し、前記時間情報が前記期限を超えた場合に前記コンテンツデータの書き込みの実施を中止することを特徴とする請求項１に記載のデータ書き込み装置。
【請求項３】
前記コンテンツデータと前記上限値及び前記期限のそれぞれのデータとを受け取る設定用インタフェースを更に備えることを特徴とする請求項２に記載のデータ書き込み装置。
【請求項４】
前記メモリカードのカードＩＤを読み出すカードＩＤ読み出し部と、
書き込まれた前記コンテンツデータの種類と前記カードＩＤとを関連付けて書き込み履歴データを作成する書き込み履歴作成部
とを更に備えることを特徴とする請求項１〜３のいずれか１項に記載のデータ書き込み装置。
【請求項５】
前記メモリカードのカードＩＤを読み出すカードＩＤ読み出し部と、
前記カードＩＤを暗号化するカードＩＤ暗号化部と、
暗号化された前記前記カードＩＤと暗号化された前記コンテンツデータを前記メモリカードに書き込む書き込み制御部
とを更に備え、前記書き込み制御部は、前記暗号化されたカードＩＤを復号化し、復号化された前記カードＩＤと前記メモリカードのカードＩＤとが等しい場合に前記暗号化されたコンテンツデータを復号化して再生するプログラムを前記メモリカードに更に書き込むことを特徴とする請求項１〜３のいずれか１項に記載のデータ書き込み装置。
【発明の詳細な説明】
【技術分野】
【０００１】
本発明は、ソフトウェア及びコンテンツデータ等のデータを自動的に販売してメモリカードに書き込むデータ書き込み装置に関する。
【背景技術】
【０００２】
自動販売機は通常、食品、飲料、玩具、又は書籍等の有形物を販売する。有形物の自動販売機においては、販売するもののストックが無くなった時点で販売が中止される。自動販売機が盗難にあった場合、盗難による被害は自動販売機及び自動販売機の内部の販売物を越えることは無い。また、ソフトウェア及びコンテンツデータ等のデータをインターネット上で販売する手法が実用化されている。この場合、購入者はパーソナルコンピュータ（ＰＣ）に加えて、通信装置と、ユーザＩＤ、パスワード、及びカードＩＣ等の個人認証手段とを用意する必要がある。販売者も通信装置及び個人認証手段等を用意する必要があるため、システムを容易に構築することは難しい。
【０００３】
一方、個人認証手段を必要としない第１の背景技術として、ホストコンピュータからオンラインでデータ及びデータの関連情報をデータ書き込み装置の内部の記憶装置に格納し、購入者が選択したデータを記憶装置から読み出して携帯記憶媒体に書き込む手法が提案されている（例えば、特許文献１参照。）。第２の背景技術として、記録済みの記憶媒体を販売する手法と、第１の背景技術と同様に購入者が選択したデータを携帯記憶媒体に書き込む手法との組み合わせが提案されている（例えば、特許文献２参照。）。
【０００４】
上述した第１の背景技術においては、販売物を販売機の内部に備える必要が無く、無制限に書き込みを続けることが可能である。この為、第１の背景技術に係るデータ書き込み装置が盗難及び不正使用された場合、データの無制限な読み出しを許容してしまうこととなる。第２の背景技術においても同様の問題が生じる。
【特許文献１】特開平１０−１８８１２８号公報
【特許文献２】特開２００２−１３３５１２号公報
【発明の開示】
【発明が解決しようとする課題】
【０００５】
本発明は、盗難及び不正使用等に対して無制限な読み出しを防止可能なデータ書き込み装置を提供する。
【課題を解決するための手段】
【０００６】
本発明の特徴は、メモリカードにコンテンツデータを書き込むデータ書き込み装置であって、（イ）コンテンツデータをメモリカードに書き込むカードスロット；（ロ）コンテンツデータの書き込み回数をカウントする書き込み回数カウント部；（ハ）書き込み回数カウント部のカウント値が書き込み回数の上限値以下である場合にコンテンツデータの書き込みを継続し、カウント値が上限値を超えた場合にコンテンツデータの書き込みを中止する条件判定部を備えるデータ書き込み装置であることを要旨とする。
【発明の効果】
【０００７】
本発明によれば、盗難及び不正使用等に対して無制限な読み出しを防止可能なデータ書き込み装置を提供できる。
【発明を実施するための最良の形態】
【０００８】
次に、図面を参照して、本発明の第１及び第２の実施の形態を説明する。この第１及び第２の実施の形態における図面の記載において、同一又は類似の部分には同一又は類似の符号を付している。
【０００９】
（第１の実施の形態）
本発明の第１の実施の形態に係るデータ販売システムは、図１に示すように、データ書き込み装置１ａ、及びデータ書き込み装置１ａに挿入される設定用携帯記憶媒体２ａと購入者のメモリカード（以下において単に「メモリカード」という。）３とを備える。設定用携帯記憶媒体２ａとしては、例えばメモリカード又はリムーバブルハードディスク等が使用できる。データ書き込み装置１ａは、タイマ装置１５、内蔵バッテリ１６、バスライン１４、バスライン１４に接続された設定用インタフェース１１、カードスロット１２、表示装置１０２、貨幣処理装置１０３、入力装置１０４、マイクロコンピュータ１３ａ、ＲＡＭ１７、及びＲＯＭ１８を備える。カードスロット１２はコンテンツデータをメモリカードに書き込む。ここで「コンテンツデータ」としては、例えば、静止画及び動画等の画像データ、音楽データ、テキストデータ、又はプログラム等が使用できる。マイクロコンピュータ１３ａは、カードスロット１２におけるコンテンツデータの書き込み回数をカウントする書き込み回数カウント部１３２、及び書き込み回数カウント部のカウント値が書き込み回数の上限値以下である場合にコンテンツデータの書き込みを継続し、カウント値が上限値を超えた場合にコンテンツデータの書き込みを中止する条件判定部１３１を備える。
【００１０】
また、タイマ装置１５は内蔵バッテリ１６とマイクロコンピュータ１３ａとの間に接続され、年月日及び時刻等の時間情報を生成する。条件判定部１３１は、タイマ装置１５からの時間情報がコンテンツデータの書き込み実施期間の期限内である場合にコンテンツデータの書き込みを継続し、時間情報が期限を超えた場合にコンテンツデータの書き込みの実施を中止する。内蔵バッテリ１６は、データ書き込み装置１ａが電源オフ時においてタイマ装置１５に電源を供給する。貨幣処理装置１０３は、購入者により投入される貨幣を受け取る。ＲＯＭ１８は、マイクロコンピュータ１３ａにおいて実行されるプログラムを格納するプログラム記憶装置等として機能する。これに対してＲＡＭ１７は、マイクロコンピュータ１３ａにおけるプログラム実行処理中に利用されるデータ等を格納したり、作業領域として利用される一時的なデータメモリ等として機能する。
【００１１】
尚、設定用インタフェース１１は、第１コネクタ１１１、及び第１コネクタ１１１とバスライン１４との間に接続された第１入出力回路１１２を備える。カードスロット１２は設定用インタフェース１１と同様に構成される。表示装置１０２としては、例えば、液晶表示装置（ＬＣＤ）、発光ダイオード（ＬＥＤ）パネル、及びエレクトロルミネッセンス（ＥＬ）パネル等の表示装置が使用できる。表示装置１０２には、メモリカード３に書き込み可能なコンテンツに関する説明等が表示される。入力装置１０４としては、例えば、キーパッド、タッチスクリーン、又はスクロールボタン等が使用できる。
【００１２】
更に、マイクロコンピュータ１３ａは、条件判定部１３１及び書き込み回数カウント部１３２に加え、システム制御部１３３、カードＩＤ読み出し部１３４、カードＩＤ暗号化部１３５、及び書き込み制御部１３６を備える。システム制御部１３３は、設定用インタフェース１１、表示装置１０２、貨幣処理装置１０３、及び入力装置のそれぞれを制御する。カードＩＤ読み出し部１３４は、メモリカード３からカードＩＤを読み出す。カードＩＤ暗号化部１３５は、読み出されたカードＩＤを暗号化する。書き込み制御部１３６は暗号化されたカードＩＤをメモリカード３に書き込む。
【００１３】
また、設定用携帯記憶媒体２ａは、条件データ格納領域２１、書き込み対象データ格納領域２２、及びカウント値格納領域２３を備える。条件データ格納領域２１には、コンテンツデータに対する書き込み回数の上限値及び書き込み実施期間の期限のそれぞれのデータが暗号化されて格納される。条件データは予め暗号化されて格納されている。カウント値格納領域２３には、書き込み回数カウント部１３２のカウント値が格納される。書き込み対象データ格納領域２２は、図２に示すように、コンテンツデータ格納領域２２ａ及び再生プログラム格納領域２２ｂを備える。コンテンツデータ格納領域２２ａには、静止画及び動画等の画像データ、音楽データ、テキストデータ、又はプログラム等のコンテンツデータが暗号化されて格納される。再生プログラム格納領域２２ｂには、コンテンツデータ格納領域２２ａに格納されたコンテンツデータを再生するための再生プログラムが格納される。
【００１４】
更に、再生プログラムは、暗号化されたカードＩＤの復号化に使用する第１の復号鍵と、暗号化されたコンテンツデータの復号化に使用する第２の復号鍵とを備える。第１の復号鍵及び第２の復号鍵は、同じでなくても良い。しかし、共通の復号鍵を使用するとした方が、再生プログラムのファイルサイズを小さくすることができる。暗号化されたコンテンツデータがＭＰＥＧ２方式などによって圧縮されている場合、再生プログラムは圧縮データを展開する機能を有する必要がある。尚、設定用携帯記憶媒体２ａには、コンテンツデータと再生プログラムと各コンテンツの内容を説明するテキストデータ等が対応付けて記憶されていることが好ましい。
【００１５】
また、メモリカード３は図３に示すように、カードＩＤ格納領域３１とデータ格納領域３２を備える。カードＩＤ格納領域３１は例えばマスクＲＯＭ、データ格納領域３２は例えばＮＡＮＤ型フラッシュメモリからそれぞれ構成される。カードＩＤ格納領域３１には、例えば各メモリカードに固有の１２８ビットのカードＩＤが格納される。データ格納領域３２には、図１に示すデータ書き込み装置１ａにより、暗号化されたコンテンツデータ、暗号化されたカードＩＤ、及び再生プログラムが格納される。
【００１６】
図３に示す例において、暗号化されたコンテンツデータ“ＶｉｄｅｏＡＡＡ”は、“ＡＡＡ”という名前のビデオプログラムのビデオデータであって、例えばＭＰＥＧ２方式によって圧縮され、更に例えばＲＳＡ暗号によって暗号化されている。尚、圧縮方式は、ＭＰＥＧ２以外の、ＭＰＥＧ１、ＭＰＥＧ４などであっても良い。また、暗号化方式は、ＲＳＡ暗号以外の、ＤＳＡなどであっても良い。暗号化されたカードＩＤ“１２３ＡＡＡ”は、“１２３”というカードＩＤが例えばＲＳＡ暗号によって暗号化されている。暗号化されたコンテンツデータと同様に、カードＩＤの暗号化方式はＲＳＡ暗号以外であっても良い。
【００１７】
更に、再生プログラム“ＰｌａｙｅｒＡＡＡ”は、コンテンツデータを再生する機能に加え、図１に示すカードＩＤ暗号化部１３５により暗号化されたカードＩＤ“１２３ＡＡＡ”を第１の復号鍵を用いて復号化する機能、復号化されたカードＩＤ“１２３”とカードＩＤ格納領域３１に格納されたカードＩＤ“１２３”とを比較する機能、及び両カードＩＤが同じである場合に暗号化されたコンテンツデータ“ＰｌａｙｅｒＡＡＡ”を第２の復号鍵を用いて復号化する機能を有する。図１に示す書き込み制御部１３６がメモリカード３に再生プログラム“ＰｌａｙｅｒＡＡＡ”を書き込むことにより、メモリカード３のデータ格納領域３２が不正コピーされた場合、コンテンツデータの再生を防止できる。一例として、図３に示すカードＩＤ“１２３”を有するメモリカード３のデータ格納領域３２のすべてが、例えばカードＩＤ“１２４”を有する他のメモリカードに不正コピーされた場合、カードＩＤが一致しないためコンテンツデータは再生されない。
【００１８】
次に、図４に示すフローチャートを参照して、第１の実施の形態に係るデータ書き込み装置１ａの動作を説明する。
【００１９】
（イ）図４のステップＳ１０１において、データ書き込み装置１ａに電源が供給される。ステップＳ１０２において、図１に示すデータ書き込み装置１ａが電源オン時に設定用携帯記憶媒体２ａが設定用インタフェース１１に挿入された場合、又は設定用携帯記憶媒体２ａが設定用インタフェース１１に挿入された状態でデータ書き込み装置１ａが電源オンとなった場合、図１に示すシステム制御部１３３は、第１入出力回路１１２を用いて、設定用携帯記憶媒体２ａの条件データ格納領域２１から書き込み回数の上限値及び書き込み実施期間の期限のそれぞれのデータを読み出す。設定用携帯記憶媒体２ａから読み出された書き込み回数の上限値及び書き込み実施期間の期限のそれぞれのデータは、ＲＡＭ１７に一時的に格納される。
【００２０】
（ロ）ステップＳ１０３において、図１に示す条件判定部１３１は、タイマ装置１５から時間情報を取得する。ステップＳ１０４において、条件判定部１３１は、ＲＡＭ１７に格納された書き込み実施期間の期限のデータに基づき、時間情報が書き込み実施期間の期限内であるか否かを判定する。時間情報が書き込み実施期間の期限内であると判定された場合、ステップＳ１０５に進む。時間情報が書き込み実施期間の期限内でないと判定された場合、処理が終了する。
【００２１】
（ハ）ステップＳ１０５において、図１に示すカードスロット１２にメモリカード３が挿入されると、メモリカード３が挿入された旨がシステム制御部１３３に報告される。メモリカード３がカードスロット１２に挿入された旨がシステム制御部１３３に報告されると、ステップＳ１０６に進む。ステップＳ１０６において、システム制御部１３３は、入力装置１０４に入力操作がなされたか否かを判定する。入力装置１０４に入力操作がなされたと判定された場合、システム制御部１３３は、入力装置１０４からの選択指示を受け取る。入力装置１０４からの選択指示を受け取ると、ステップＳ１０７に進む。
【００２２】
（ニ）ステップＳ１０７において、システム制御部１３３は、第１入出力回路１１２を用いて、選択されたコンテンツデータを図２に示すコンテンツデータ格納領域２２ａから読み出す。ここでシステム制御部１３３は、選択されたコンテンツデータに対応する再生プログラムを読み出す。ステップＳ１０７において、図１に示す書き込み制御部１３６は図３に示すように、コンテンツデータとしてのコンテンツデータ及び再生プログラムをメモリカード３のデータ格納領域３２に書き込む。したがって、購入者が財布を取り出し、更に財布から貨幣を取り出している間に、コンテンツデータ及び再生プログラムの書き込みが実行される。この結果、コンテンツデータ等の書き込みに要する時間を、購入者側に待ち時間を生じさせない程度にまで短縮できる。
【００２３】
（ホ）ステップＳ１０９において、システム制御部１３３は、貨幣処理装置１０３に正しい金額の貨幣が投入されたか否か判定する。正しい金額の貨幣が投入されたと判定された場合、ステップＳ１１０に進む。ステップＳ１１０では、図１に示すカードＩＤ読み出し部１３４が、第２入出力回路１２２を用いてメモリカード３のカードＩＤ格納領域３１からカードＩＤを読み出す。ステップＳ１１１では、カードＩＤ暗号化部１３５が、読み取られたカードＩＤを暗号化する。ステップＳ１１２において、書き込み制御部１３６は図３に示すように、第２入出力回路１２２を用いて暗号化されたカードＩＤをメモリカード３のデータ格納領域３２に書き込む。
【００２４】
（ヘ）ステップＳ１１３において、図１に示す書き込み回数カウント部１３２は、暗号化されたカードＩＤがメモリカード３に書き込まれると、設定用携帯記憶媒体２ａのカウント値格納領域２３に格納されたカウント値をインクリメントする。ステップＳ１１４において、条件判定部１３１は、設定用携帯記憶媒体２ａのカウント値格納領域２３に格納されたカウント値が、ＲＡＭ１７に格納された書き込み回数の上限値データ以下であるか否かを判定する。カウント値が書き込み回数上限値以下であると判定された場合、ステップＳ１０５に戻る。これに対して、カウント値が書き込み回数上限値以下でないと判定された場合、処理が終了する。
【００２５】
このように、第１の実施の形態に係るデータ書き込み装置１ａによれば、盗難又は不正利用された場合においても、設定された書き込み実施期限又は書き込み回数の上限値に達した時点で書き込みを停止できる。この為、盗難等による無制限な書き込みを防止できる。更に、設定用携帯記憶媒体２ａを用いることにより、データ書き込み装置１ａにデータ通信機能を付加する必要が無くなる。この結果、データ書き込み装置１ａの設置場所の自由度が飛躍的に向上する。また、データ通信機能を有していないため、データ書き込み装置１ａを安価に構成することが可能である。更に、書き込み制御部１３６がメモリカード３に再生プログラムを書き込むことにより、暗号化されたカードＩＤデータ、暗号化されたコンテンツデータ、及び再生プログラムの一部又は全部が不正コピーされた場合のいずれにおいてもコンテンツデータの再生を防止できる。
【００２６】
（第１の実施の形態の第１の変形例）
本発明の第１の実施の形態の第１の変形例に係るデータ書き込み装置１ｂとして図５に示すように、マイクロコンピュータ１３ｂが、設定用携帯記憶媒体２ａに格納される書き込み回数の上限値及び書き込み実施期間の期限のデータに対する改竄を検出する改竄検出部１３７を更に備えても良い。例えば、コンテンツデータと書き込み回数の上限値及び書き込み実施期間の期限のデータとに対し、予め同様の署名を施しておくことにより改竄検出部１３７が書き込み回数の上限値及び書き込み実施期間の期限のデータの改竄を検出できる。或いは、コンテンツデータと、書き込み回数の上限値及び書き込み実施期間の期限のデータとに対し、予め同様の暗号化を施しておくことにより、改竄検出部１３７が暗号の不一致を検出する。
【００２７】
更に、暗号又は署名が付与された条件データをＲＡＭ１７と設定用携帯記憶媒体２ａの双方に格納する場合、条件判定部１３１が、ＲＡＭ１７と設定用携帯記憶媒体２ａの双方に格納された書き込み回数の上限値及び書き込み実施期間の期限のデータの不一致を改竄検出部１３７が検出する。或いは、ＲＡＭ１７と設定用携帯記憶媒体２ａの双方に格納された書き込み回数の上限値及び書き込み実施期間の期限のデータが一致する場合にのみメモリカード３に対して書き込みを実施する。この結果、盗難等による不正なコピーを強固に防止することが可能となる。
【００２８】
（第１の実施の形態の第２の変形例）
本発明の第１の実施の形態の第２の変形例に係るデータ書き込み装置１ｃとして図６に示すように、ネットワークインタフェース１９及びカード処理装置１０５を更に備える構成としても良い。ネットワークインタフェース１９は外部ネットワークとデータを送受信する。カード処理装置１０５は、クレジットカード又はＩＣカード等から料金を徴収する。また、マイクロコンピュータ１３ａは、ネットワークインタフェース１９を用いて外部と通信を行う通信制御部１３８を更に備える。図６に示すデータ書き込み装置１ｃによれば、外部ネットワークからネットワークインタフェース１９を介して設定用携帯記憶媒体２ａのコンテンツデータを更新することが可能となる。
【００２９】
（第２の実施の形態）
本発明の第２の実施の形態に係るデータ書き込み装置１ｄは、図７に示すように、マイクロコンピュータ１３ｄが、書き込まれたコンテンツデータをメモリカード３のカードＩＤと関連付けて書き込み履歴データを作成する書き込み履歴作成部１４０を備える点が図１と異なる。設定用携帯記憶媒体２ｂが、書き込み履歴作成部１４０により作成された書き込み履歴データを格納する書き込み履歴格納領域２４を更に備える点が図１と異なる。更に、マイクロコンピュータ１３ｄが、メモリカード３から読み出されたカードＩＤと一致する書き込み履歴データを書き込み履歴格納領域２４から検索する書き込み履歴検索部１４１を備える点が図１と異なる。その他の構成については図１と同様である。
【００３０】
次に、図８に示すフローチャートを参照して、第２の実施の形態に係るデータ書き込み装置１ｄの動作を説明する。但し、第１の実施の形態に係るデータ書き込み装置１ａと同様の動作については、重複する説明を省略する。
【００３１】
（イ）図８のステップＳ２０１において、図７に示すカードＩＤ読み出し部１３４が、第２入出力回路１２２を用いてメモリカード３のカードＩＤ格納領域３１からカードＩＤを読み出す。読み出されたカードＩＤは、ＲＡＭ１７に一時的に格納される。
【００３２】
（ロ）ステップＳ２０２において、書き込み履歴検索部１４１は、読み出されたカードＩＤと一致する書き込み履歴データを書き込み履歴格納領域２４から検索する。読み出されたカードＩＤと一致する書き込み履歴データが書き込み履歴格納領域２４に存在する場合、ステップＳ１１０に進む。即ち、貨幣の投入を要求すること無く、ＲＡＭ１７に格納されたカードＩＤの暗号化処理に移行する。一方、読み出されたカードＩＤと一致する書き込み履歴データが書き込み履歴格納領域２４に存在しない場合、ステップＳ１０９に進む。
【００３３】
（ハ）ステップＳ２０３において、書き込み履歴作成部１４０は、書き込まれたコンテンツデータをメモリカード３のカードＩＤと関連付けて書き込み履歴データを作成する。尚、書き込み履歴作成部１４０は、タイマ装置からの時間情報に基づいて、書き込みが実施された年月日及び時刻等を書き込み履歴データに追加しても良い。ステップ２０４では、書き込み履歴作成部１４０が、作成された書き込み履歴データを書き込み履歴格納領域２４に格納する。
【００３４】
このように、第２の実施の形態によれば、書き込み履歴作成部１４０が書き込み履歴データを作成することにより、コンテンツデータの種類、書き込み数量、及び書き込み時刻等の情報を管理できる。また、書き込み履歴検索部１４１が、メモリカード３から読み出されたカードＩＤを書き込み履歴データと照合することにより、一度コンテンツデータの書き込みを実施したメモリカードに対して再度無料で書き込むサービスを提供できる。この結果、正常な書き込みができなかった場合にデータ書き込みの再提供を行うことが可能となる。
【００３５】
（その他の実施の形態）
上記のように、本発明は第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。
【００３６】
既に述べた第１及び第２の実施の形態に係るデータ書き込み装置１ａ〜１ｄに対して、例えばオーディオ出力装置等を付加しても良い。更に、データ書き込み装置１ａ〜１ｄが、カードＩＤの一部に対応するコンテンツデータのみを書き込む構成としても良い。
【００３７】
また、図４及び図８に示した処理の流れは一例に過ぎない。例えば、図４のステップＳ１０４の処理は、ステップＳ１０３以降であればどのようなタイミングで実行しても良い。ステップＳ１１４の処理はステップＳ１０２以降であればどのようなタイミングで実行しても良い。図８においても同様である。
【００３８】
このように本発明は、ここでは記載していない様々な実施の形態等を包含するということを理解すべきである。したがって、本発明はこの開示から妥当な特許請求の範囲の発明特定事項によってのみ限定されるものである。
【図面の簡単な説明】
【００３９】
【図１】第１の実施の形態に係るデータ書き込みシステムの構成を示すブロック図である。
【図２】第１の実施の形態に係るコンテンツデータ格納領域に格納されるデータ例を示す模式図である。
【図３】第１の実施の形態に係るデータ書き込み装置により書き込まれるデータ例を示す模式図である。
【図４】第１の実施の形態に係るデータ書き込み装置の動作を示すフローチャートである。
【図５】第１の実施の形態の第１の変形例に係るデータ書き込みシステムの構成を示すブロック図である。
【図６】第１の実施の形態の第２の変形例に係るデータ書き込みシステムの構成を示すブロック図である。
【図７】第２の実施の形態に係るデータ書き込みシステムの構成を示すブロック図である。
【図８】第２の実施の形態に係るデータ書き込み装置の動作を示すフローチャートである。
【符号の説明】
【００４０】
１ａ〜１ｄ…データ書き込み装置
３…メモリカード
１５…タイマ装置
１３１…条件判定部
１３２…書き込み回数カウント部
１３４…カードＩＤ読み出し部
１３５…カードＩＤ暗号化部
１４０…書き込み履歴作成部
【図１】
2006031384.tif 000003
【図２】
2006031384.tif 000004
【図３】
2006031384.tif 000005
【図４】
2006031384.tif 000006
【図５】
2006031384.tif 000007
【図６】
2006031384.tif 000008
【図７】
2006031384.tif 000009
【図８】
2006031384.tif 000010